(57)【特許請求の範囲】
【請求項１】
車椅子の後部に着脱自在とした装着バーと、この装着バーに取り付ける椅子とで構成され、前記椅子が座面と、座面の下方に垂設した左右の脚部と座面の前方に突設した左右２本の装着アームとを備えた椅子であって、前記脚部が座面に対して前方への回動を自在に固定すると共に、下部にキャスターを付設してなり、装着アームの先端に車椅子の後部に取り付けた装着バーに対して水平及び垂直に連結固定可能とした接続部を設けてなることを特徴とする車椅子用補助椅子。
【発明の詳細な説明】
【技術分野】
【０００１】
本発明は車椅子用補助椅子に関するものである。
【背景技術】
【０００２】
従来、車椅子は身障者用である。自力で自走するタイプ、補助者による補助用タイプ、電動車椅子などがある。
【先行技術文献】
【特許文献】
【０００３】
【特許文献１】特開２００５−１７６９８０
【発明の概要】
【発明が解決しようとする課題】
【０００４】
従来は、車椅子の補助者が車椅子の歩行を停止して待機の時、座るところもなく脇で立って待つだけであった。この待機時間は大変長く苦痛や疲労がたまりその対策が望まれた。
【０００５】
従来、車椅子は介助される人だけの車椅子であり、このため車椅子の介助する人は肉体的疲労、精神的な苦痛が甚だ大きく、これらの問題を解決する装備や装置など全くなく、また目が向けられなかったことも残念である。
【０００６】
従来は、介助されるもの、介助するものの間には感謝と苦痛があり、また諦めもあるのが現実であった。
【０００７】
上記、先願文献には乗車者の操作による自動走行する電動車椅子が開示されている。補助輪の接地と上前方へ回動させる装置、回動フレームが本体フレームの後端に枢着されて回動可能にしてある。
【０００８】
上記先願文献は、電動車椅子の走行中乗車走行する目的である為、補助輪、回動フレーム、本体フレーム、着座部支持フレームと補助輪支持が緩衝体を介して連結されており、とある。車両と同様、乗車走行では道路の凹凸や段差、などを考慮すると必要な装置である。
【０００９】
上記先願文献は、各部に強度が要求され重量が重くなる。このため車両での移動は困難であり、折り畳み不可、持ち運びできないこと、狭いところの移動が困難、電気がなくなる不安など不利な点がある。また電動車椅子では着座部とその装置が一体化した構造が開示されている。
【００１０】
また、先願文献では略紡錘形状の全方向車輪で、両側の後輪がモーターで回転駆動することが開示されている。電動車椅子の駆動方法は多種多様である。
【課題を解決するための手段】
【００１１】
本発明は、手動車椅子の補助椅子である。車椅子に取り付ける椅子であって、座面と、脚部と、装着アームと、を備え、前記脚部は前記座面に回動自在に固定され、前記装着アームは前記座面に回動自在に固定された車椅子用補助椅子である。
【００１２】
また補助椅子には乗車して走行しないため補助輪はなく、またはキャスターは、走行用ではない、脚部５だけで補助椅子として機能する。装着アームと、          装着バーによって車椅子のハンドルへ取り付け、取り外しを可能にしてあり  車椅子と補助椅子は固定にしていない。
【００１３】
本発明は、請求項３によれば装着バーを用いて車椅子に着脱可能であることを特徴とする請求項1又は2に記載の車椅子用補助椅子であり車椅子と補助椅子とは一体化しておらず、簡便な持ち運び、各種の車椅子へ装着可能であるので応用性が広くなる。
【００１４】
請求項３、装着バーを用いてとあるが各種車椅子の中に折り畳み機能付きがあり、中間部よりたたむタイプがある。これらの機種に対応する補助椅子として装着アームの先端部、接続部８に挟む機能をつけ直接ハンドル１に挟むことで補助椅子の装着ができる。支点１２に装着アーム４がピン６で止めてあり、さらに左右のハンドル1へ接続部８を挟むため装着アーム４を左右に開く機能をつけて装着バー１１がなくとも折り畳み機能のある車椅子に対応できる。
【００１５】
請求項１の座面と、脚部とその下端にキャスターと、装着アームと、装着バーとを備えてある。この座面3をサドルに、キャスター７を車輪に変え、ここへ車輪を駆動させるペダルを付け車椅子の後部に装着、座面３に変わったサドルにまたがりキャスター７から変わった車輪のペダルを踏み込むと回転し装着してある車椅子も動く、人力車椅子となる。本発明の部品を3点変えるのみで簡単に人力に変更できる補助椅子である。椅子として、人力として応用可能になる。
【発明の効果】
【００１６】
本発明により車椅子に装着された補助者用の補助椅子は、車椅子を走行させるときでは折畳んで上方へ格納してあり、普通の車椅子と同様に手押し歩行できる（図４参照）。休憩や、乗物、診察待ちなどの待機する場合、折畳んで格納してある補助椅子を手前に引き出して、ここに補助者が座ることができる（図３参照）ので補助者にとりオアシス的存在となる。
【００１７】
従来の車椅子では補助者の座る椅子がなく、座りたくても座るところがなく立ちどうしで、苦痛や疲労が甚だ大きかった。本発明により補助者は肉体的にも精神的にも軽減される。また補助される者にとって、従来は多大な苦痛や迷惑をかけていたににも関わらず、補助椅子などなかったので、ただお詫びと感謝の気持ちだけであった。補助椅子の誕生によってお互い気も楽になる。
【００１８】
そして本発明の請求項５により車椅子の後部に取り付け可能とすることを特徴とする請求項１から３のいずれか１項記載の車椅子用補助椅子をすべての車椅子へ普及し標準化されることが期待される。
【００１９】
請求項6では座面３と、脚部５とキャスター７、座面３をサドルに、キャスター７を車輪に、交換し車輪１７にはペダル１８をつけることで補助椅子にもなり、人力車椅子として利用できるものである。数点を変えることで機能を高め
ることができ利用者に喜ばれるもの。従来車椅子には座るところがなかったことを考慮すると補助椅子と、さらに人力による走行できる車椅子は画期的である。
【００２０】
このように本発明は介助される者、介助するもの、両者に恩恵をもたらすので、その効果は絶大である。車椅子生活者及び関係者へ朗報となる。
【図面の簡単な説明】
【００２１】
【図１】一般の車椅子を示す斜視図である。
【図２】本発明の補助椅子を示す斜視図である。
【図３】一般の車椅子へ補助椅子を装着した実施例図である。
【図４】図３の補助椅子の折り畳み実施例図である。
【図５】補助椅子の折り畳み実施例図である。
【図６】図５の補助椅子の折り畳み実施例背面図である。
【図７】装着用バー斜視図である。
【図８】サドルと車輪、ペダルの付いた補助椅子の斜視図
【発明を実施するための形態】
【００２２】
上記課題を解決するため、本発明の実施の形態を例に、補助者用の椅子、補助椅子の説明をする。尚、この説明は車椅子の折り畳み出来ないタイプにて装着バーの使用方法を扱った説明をする。この補助椅子は補助者が介助される人の手助けをする為に、補助者本人が疲労しないように一時的に座ることが出来るように考慮されたものである。
【００２３】
図１は一般車椅子である。この車椅子の座シート２の後方に補助者が車椅子を操舵するハンドル１が左右にあり、その下部に車椅子の骨格であるフレーム１４がある。
【００２４】
そこから車軸１３があって車椅子の車輪１５を支持している。ハンドル１は補助者が走行時手押しで使用する、本発明の補助椅子はこのハンドル１に接続装着するように考えられたもので装着、脱着を容易にできる装着バー１１を装備してある
【００２５】
補助椅子図２は座シート３の下部に支点１２を設けてありピン６で脚部５と装着アーム４を屈曲可能な状態で接続してある。
【００２６】
脚部５は補助椅子の脚として下部にキャスター７を設けてある。このキャスター７は車椅子の歩行中、補助者が補助椅子に座らないので、キャスター７の使用目的は車椅子の多少の動きやズレなどを吸収するためのものである。
【００２７】
座面３の下部にある支点１２のピン６で止めてある装着アーム４は他端にピン穴のある接続部８がある。
【００２８】
図７の装着用バー１１は請求項３により車椅子の左右のハンドル１に装着するためのものである。装着用バー１１は両端にハンドル装着金具１０がありハンドルにネジなどにより固着装着する。
【００２９】
また装着用バー１１の中間に装着アーム４の接続部８の受け口、接続受け部９が左右２個ついている。接続部８と接続受け部９が接続するときはピンなどで接続する
【００３０】
これにより補助椅子は車椅子と一体となり補助椅子付車椅子（図４参照）となる。通常補助椅子を使用しない時は車椅子の後部に装着用バー１１の接続受け部９と装着アーム４の接続部８と接続されて屈曲可能になっていて、補助椅子の座面３を上方に上げると支点１２を介して脚部５、キャスター７、及び装着アームの接続部８を支点に垂直に立てて格納しておける。（図４参照）。この状態は補助者の走行に支障はない。
【００３１】
補助椅子の使用時は、車椅子の後部に垂直に立ててある補助椅子の座面３を手前に引き下げると、そのまま脚部５とキャスター７が垂直になり地面に接地、使用可能図３となる。
【００３２】
また装着用バー１１及びハンドル装着金具１０は各メーカー仕様に対応するための装着用バー１１を各種揃えることも可能である。
【実施例】
【００３３】
このように構成された補助椅子の実施例の説明をする。まず補助椅子を一般の車椅子の後部へ垂直に格納されていて、補助される人を車椅子の座シート２に座らせる。補助者は車椅子のハンドル１を押して通常の走行をする。このときの補助椅子は車椅子の後部に垂直に折りたたんであり補助者の走行に支障はない。
【００３４】
車椅子の歩行を停止、または乗物待ち、順番待ち  診察待ちなど待機時間があるとき、車椅子の後部図４に格納してある補助椅子を手前に引きだすと、座面３の下部にある脚部５とキャスター７も下降し、地面や、フロアーへ接地。このとき座面３は水平になり補助椅子図３として使用可能になる。
【００３５】
この補助椅子へ補助者が着座して待機、または一時休憩をとるなどして補助者が体を休めることができる。順番待ちなど細かな移動があるときは、座面３を持ち上げ軽く垂直に上げると容易に収納できて細かな移動でも素早く対応できる。
【００３６】
また、補助者なしの自力歩行の場合では、補助椅子を格納図４したままで邪魔にならず、さらに補助椅子も軽量なので負担にならない。
【００３７】
車椅子は身障者が乗るものであり、体が回復し補助者の介護も必要なくなる時期が来たとき、補助椅子も不要になる。このような時ハンドル１に装着してある装着バー１１のハンドル装着金具１０を外して補助椅子を脱着して持ち運びできるように折りたたんで携行できる（図６参照）。
【００３８】
以上のとおり、本発明は、車椅子に取り付ける椅子であって、座面３と、脚部５と、装着アーム４と、を備え、前記脚部５は前記座面３に回動自在に固定され、前記装着アーム４は前記座面３に回動自在に固定されたことを特徴にしており、補助者が休憩する際に腰を掛けることが出来る椅子を提供することができる。          
【００３９】
また、請求項３によると装着バー１１を用いて車椅子に着脱可能であることにより、補助椅子は容易に車椅子に取り付けることができる。
【００４０】
各種車椅子の中には折り畳み機能付きがあり、中間部よりたたむタイプがある。これらの機種に対応する補助椅子として装着アームの接続部8に挟む機能をつけ左右のハンドル１に挟むことで補助椅子の装着が可能となる。
装着バー１１がなくとも折り畳み機能のある車椅子に対応できる。
【００４１】
また、請求項４によれば前記車椅子の側部に取り付け可能とすることを特徴にしており、補助椅子に座った場合でも介助される者とのコミュニケーションが取り易くなる。
【００４２】
さらに車椅子製造者の製造工程において補助椅子を設計と同時に一体構造仕立ての製造が最も理想的である。
【産業上の利用可能性】
【００４３】
本発明は、車椅子の補助をする方のために開発されたものである。補助者も大変苦労をしますが補助者の苦痛には目が向けられなかったのも残念である。補助椅子が車椅子へ普及装備されることで多くの補助者に愛用されることを期待できるものである。機能構造は最も簡素で既存技術の応用で容易に商品化されるものと期待される。さらに福祉関係より支援を頂けたら永続的商品として産業に大きく貢献できることを期待できる。
【符号の説明】
【００４４】
１  ハンドル  
２  座シート
３  座面  
４  装着アーム  
５  脚部  
６  ピン  
７  キャスター  
８  接続部  
９  接続受け部  
１０  ハンドル装着金具  
１１  装着用バー  
１２  支点
１３  車軸
１４  本体フレーム
１５  車輪
１６  サドル
１７  車輪
１８  ペダル
【要約】      （修正有）【課題】補助者にも休息出来るよう車椅子へ補助者用の椅子を提供する。【解決手段】手動車椅子の補助椅子である。車椅子に取り付ける椅子であって、座面３と、脚部５と、装着アーム４とを備え、脚部は座面に回動自在に固定され、装着アームは座面に回動自在に固定される。また、補助椅子には乗車して走行しないため補助輪はなく、またはキャスター７は、走行用ではない、脚部５だけで補助椅子として機能する。装着アームと、装着バー１１によって車椅子のハンドルへ取り付け、取り外しを可能にしてあり車椅子と補助椅子は固定にしていない。【選択図】図３【図１】
0005902780.tif 000002
【図２】
0005902780.tif 000003
【図３】
0005902780.tif 000004
【図４】
0005902780.tif 000005
【図５】
0005902780.tif 000006
【図６】
0005902780.tif 000007
【図７】
0005902780.tif 000008
【図８】
0005902780.tif 000009